(57)【要約】      （修正有）【課題】実用性に優れた同一版平行偏移重層一体型係合盤およびダブル型蒸給パイプを用いた蒸給システムを提供する。【解決手段】平行偏移重層型係合盤は、ほぼ中央部にＶ状溝３６が形成された長方形のベース版１３と、ベース版と同様のＶ状溝が形成され、かつベース版上において縦及び横方向に所定寸法幅に平行移動させ、幅方向で逆折状にせり出した部分をＶ状溝とは反対方向の逆折面としたほぼ同サイズの載積部分とを備えた重層型係合盤において、ベース版上において載積部分が重なり合っていない非重層面に所定間隔で連結用固定孔５８を設け、かつ縦方向にせり出したベース版上の裏側面側に縦方向のノズル管収納溝を形成し、ノズル管収納溝の下側面のベース版には横型の係合盤固定桁を、ベース版の適所には所望の数の係合盤支持桁を平行に設けた係合盤を備える。【選択図】図２１
2016196765.tif 000002
【特許請求の範囲】
【請求項１】
ほぼ中央部にＶ状溝を形成された長方形のベース版と、
該ベース版と同様のＶ状溝を形成され、かつベース版上において縦及び横方向に所定寸法幅に平行移動させ、幅方向で逆折状にせり出した部分をＶ状溝とは反対方向の逆折面としたほぼ同サイズの載積部分とを備えた重層型係合盤において、
ベース版上において載積部分が重なり合っていない非重層面に所定間隔で連結用固定孔を設け、
かつ縦方向にせり出したベース版上の裏側面側に縦方向のノズル管収納溝を形成し、該ノズル管収納溝の下側面のベース版には横型の係合盤固定桁を、また同じくベース版の適所には所望の数の係合盤支持桁を平行に設けた係合盤であって、
前記構造の単位係合盤を屋根基盤上に配設した瓦桟上に専用釘で固定しつつ連接し、
前記係合盤と屋根基盤との隙間の空間部にスライド型蒸給パイプを配備するとともに、前記ベース版上に設けたノズル管収納溝内に敷設した蒸気噴射口を備えた長短調整型パイプを前記スライド型蒸給パイプに連結した上、冬場の積雪時にこのスライド型蒸給パイプに蒸気を強制的に供給し、前記長短調整型パイプから蒸気を噴射しての融雪と、夏場に冷水を噴射しての瓦盤冷却、および雨期における湿盤帯への空気乾燥ができるようにしたことを特徴とする平行偏移重層型係合盤。
【請求項２】
ほぼ中央部にＶ状溝を形成された長方形のベース版と、
該ベース版と同様のＶ状溝を形成され、かつベース版上において縦及び横方向に所定寸法幅に平行移動させ、幅方向で逆折状にせり出した部分をＶ状溝とは反対方向の逆折面としたほぼ同サイズの載積部分とを備えた重層型係合盤において、
ベース版上において載積部分が重なり合っていない非重層面に所定間隔で連結用固定孔を設け、
かつ縦方向にせり出したベース版上の裏側面側に縦方向のノズル管収納溝を形成し、該ノズル管収納溝の下側面のベース版には横型の係合盤固定桁を、また同じくベース版の適所には所望の数の係合盤支持桁を平行に設けた係合盤であって、
前記構造の単位係合盤を屋根基盤上に配設した瓦桟上に専用釘で固定しつつ連接し、
前記係合盤と屋根基盤との隙間の空間部にスライド型蒸給パイプを配備するとともに、前記ベース版上に設けたノズル管収納溝内に敷設した蒸気噴射口を備えた長短調整型パイプを前記スライド型蒸給パイプに連結した上、冬場の積雪時にこのスライド型蒸給パイプに蒸気を強制的に供給し、前記長短調整型パイプから蒸気を噴射しての融雪と、夏場に冷水を噴射しての瓦盤冷却、および雨期における湿盤帯への空気乾燥ができるようにしたことを特徴とするスライド型蒸給パイプを用いた蒸給システム。
【請求項３】
前記係合盤のベース版および載積部分のＶ状溝が、円弧状またはＶ字状断面に形成してある請求項１または２に記載の平行偏移重層型係合盤およびスライド型蒸給パイプを用いた蒸給システム。
【請求項４】
前記係合盤の載積部分が、矢羽根状の凹凸を長さ方向の両端部にそれぞれ形成してある請求項１ないし３のいずれかに記載の平行偏移重層型係合盤およびスライド型蒸給パイプを用いた蒸給システム。
【請求項５】
前記長短調整型パイプが、長さ調整可能な蛇腹管およびスライド型蒸給パイプからなることを特徴とする請求項１ないし４のいずれかに記載の平行偏移重層型係合盤およびスライド型蒸給パイプを用いた蒸給システム。
【請求項６】
前記中央部にＶ状溝を形成された矩形のベース版と、
該ベース版と同様のＶ状溝を形成され、かつ該ベース版上において縦及び横方向に所定寸法幅に平行移動させ、幅方向にひさし状にせり出した部分をＶ状溝とは逆方向の逆折面としたほぼ同サイズの非重層帯とを備えた係合盤が、長さ方向に延長した２枚型以上のロング型サイズとして準備されていることをも特徴とする請求項１ないし５のいずれかに記載の平行偏移重層型係合盤およびスライド型蒸給パイプを用いた蒸給システム。
【発明の詳細な説明】
【技術分野】
【０００１】
この発明は、冬場の積雪時においてダブル型蒸給パイプに熱水や蒸気を強制的に供給する長短調整型パイプの蒸気噴射口を備え、熱水や蒸気を噴射して融雪できるようにし、同時に夏場において屋根上が熱してきたときは、屋根上に冷水を上記噴射口から噴射し、屋根全体を涼しくすることができるようにした同一版平行偏移重層一体型係合盤およびダブル型蒸給パイプを用いた蒸給システムを提供しようとするものである。
【背景技術】
【０００２】
瓦部分に融雪機能を持たせた先行技術としては、特開平１０−３３８９９８号公報（特許文献１参照）に示すような、複数の瓦を葺重ねて使用する屋根瓦であって、瓦内部には流水管に接続されるノズルが設けられ、ノズルの先端部は他の瓦との葺重ね部に配設され、葺重ね部から水が噴出できるようにされた融雪瓦がある。
【０００３】
また、実開昭６２−１３１０２５号公報（特許文献２参照）に示すような、瓦と屋根下地材との間の間隙部に適宜間隔でこの間隙部を加温する温水ポンプを配設し、前記瓦の下面に下段の瓦の表面と前記間隙部とを連通する温風噴出溝を形成した瓦屋根の消雪装置も提案されている。
【先行技術文献】
【特許文献】
【０００４】
【特許文献１】特開平１０−３３８９９８号公報
【特許文献２】実開昭６２−１３１０２５号公報
【発明の開示】
【発明が解決しようとする課題】
【０００５】
しかしながら、特開平１０−３３８９９８号公報（特許文献１参照）に示す融雪瓦は、瓦内部に流水管に接続されるノズルを配設した特殊な瓦を用意する必要があり、多大なコストと、流水管とノズルの接続に手間がかかるという問題があった。
また、実開昭６２−１３１０２５号公報（特許文献２参照）に示す瓦屋根の消雪装置も、温水ポンプを利用した温風を瓦間の間隙から噴出させるようにしているが、温風の噴出ではあまりにも熱効率が悪くて実用性に乏しいという問題があった。
【０００６】
そこでこの発明は、特殊な瓦を用意する必要がなく、かつ熱水や蒸気を瓦間の間隙から噴出させるようにしたため非常に熱効率が良く、非常に実用性に優れるとともに、コスト的にも何ら問題のない同一版平行偏移重層一体型係合盤およびダブル型蒸給パイプを用いた蒸給システムを提供しようとするものである。
【課題を解決するための手段】
【０００７】
＜ベース版基本構造（重層構造）＞
すなわちこの発明の同一版平行偏移重層型係合盤は、ほぼ中央部にＶ状溝を形成された矩形のベース版の上面に、
該ベース版と同面積を有し、かつ該ベース版と同様のＶ状溝を形成され、かつベース版上において縦及び横方向に所定寸法幅に平行移動させ、幅方向で逆折状にせり出した端面部分をＶ状溝とは反対方向で逆折面としたほぼ同サイズの載積部分とを備えた一体型係合盤において、
ベース版上において載積部分が重なり合っていない非重層面に所定間隔で連結用固定孔を設け、
かつ縦方向にせり出したベース版上で裏面の側面側に縦方向のノズル管収納溝を形成し、該ノズル管収納溝の下側面のベース版には横型の係合盤固定桁を、また同じくベース版の適所には所望の数の係合盤支持桁を平行に設けた係合盤であって、
前記構造の単位係合盤を屋根基盤上に配設した瓦桟上に専用釘で固定しつつ連接し、前記係合盤と屋根基盤との隙間の空間部にスライド型蒸給パイプを配備するとともに、前記ベース版上に設けたノズル管収納溝内に敷設した蒸気噴射口を備えた長短調整型パイプを前記スライド型蒸給パイプに連結したことを特徴とするものである。
【０００８】
＜逆折面とノズル管収納溝の関係＞
この発明のスライド型蒸給パイプを用いた蒸給システムは、中央部にＶ状溝を形成された長方形のベース版と、
該ベース版と同様のＶ状溝を形成され、かつベース版上において縦及び横方向に所定寸法幅に平行移動させ、幅方向で逆折れ状にせり出した部分をＶ状溝とは反対方向の逆折面としたほぼ同サイズの載積部分とを備えた重層型係合盤において、
ベース版上において載積部分が重なり合っていない非重層面に所定間隔で連結用固定孔を設け、
かつ縦方向にせり出したベース版上の裏側面側に縦方向のノズル管収納溝を形成し、該ノズル管収納溝の下側面のベース版には横型の係合盤固定桁を、また同じくベース版の適所には所望の数の係合盤支持桁を平行に設けた係合盤であって、
前記構造の単位係合盤を屋根基盤上に配設した瓦桟上に専用釘で固定しつつ連接し、
前記係合盤と屋根基盤との隙間の空間部にスライド型蒸給パイプを配備するとともに、前記ベース版上に設けたノズル管収納溝内に敷設した蒸気噴射口を備えた長短調整型パイプを前記スライド型蒸給パイプに連結した上、冬場の積雪時にこのスライド型蒸給パイプに蒸気を強制的に供給し、前記長短調整型パイプから蒸気を噴射しての融雪と、夏場に冷水を噴射しての瓦盤冷却、および雨期における湿盤帯への空気乾燥ができるようにしたことを特徴とするものである。
【０００９】
＜円弧状面およびＶ状面＞
この発明の同一版平行偏移重層型係合盤およびスライド型蒸給パイプを用いた蒸給システムにおいて、前記係合盤のベース版および載積部分のＶ状溝が、円弧状またはＶ字状断面に形成してあることを特徴とするものである。
【００１０】
＜矢羽根版＞
この発明の同一版平行偏移重層型係合盤およびスライド型蒸給パイプを用いた蒸給システムにおいて、前記係合盤の載積部分が、矢羽根状の凹凸を長さ方向の両端部にそれぞれ形成してあることをも特徴とするものである。
【００１１】
＜長短調整型パイプ＞
この発明の同一版平行偏移重層型係合盤およびスライド型蒸給パイプを用いた蒸給システムにおいて、前記長短調整型パイプが、長さ調整可能な蛇腹管およびスライド型蒸給パイプからなることをも特徴とするものである。
【００１２】
＜ロング型瓦＞
この発明の同一版平行偏移重層型係合盤およびスライド型蒸給パイプを用いた蒸給システムにおいて、前記中央部にＶ状溝を形成された矩形のベース版と、
該ベース版と同様のＶ状溝を形成され、かつ該ベース版上において縦及び横方向に所定寸法幅に平行移動させ、幅方向にひさし状にせり出した部分をＶ状溝とは逆方向の逆折面としたほぼ同サイズの非重層帯とを備えた係合盤が、長さ方向に延長した２枚型以上のロング型サイズとして準備されていることをも特徴とするものである。
【発明の効果】
【００１３】
請求項１の発明は以上のように、各係合盤にそれぞれダブル型蒸給パイプを介して長短調整型パイプから蒸気を噴出する機能を持たせたので、特殊な瓦を用意する必要がなく、かつ温水を瓦間の間隙から噴出させるようにしたため非常に熱効率が良く、非常に実用性に優れた同一版平行偏移重層一体型係合盤を提供することができる。
請求項２の発明は以上のように、各瓦にそれぞれダブル型蒸給パイプを介して蒸気噴射口から蒸気を噴出する機能を持たせ、かつ冬場の積雪時にこのダブル型蒸給パイプに蒸気を強制的に供給し、前記長短調整型パイプの蒸気噴射口から熱水ないし蒸気を噴射して融雪できるようにしたので、非常に熱効率が良く、非常に実用性に優れた同一版平行偏移重層一体型係合盤を用いた蒸給システムを提供することができる。
さらに、本発明のダブル型蒸給パイプの蒸気噴射構造を、２種類の所望の太さを有する内側パイプと外側パイプから構成するダブル型蒸給パイプにおいて、
先ず外側パイプの所望位置をほぼ対角状のパイプの壁体にサイズが共通な通気孔を左右２か所に対称かつ所望間隔で複数個所に孔開けし、さらに、内側パイプにおいても前記外側パイプと共通する対称の壁体部に、サイズや位置が共通する通気孔を孔開けし、外側パイプに孔開けした片方の通気孔に長短調整型パイプの端を固定接続すべく螺旋基盤を設け、これに長短調整型パイプを固定接続し、積雪時には内側パイプに孔開けした通気孔より熱水ないし蒸気を噴出させて融雪を図り、雨季のときは内側パイプの通気孔をスライド移動や回転移動により、長短調整型パイプ側の通気孔を塞ぎ、反対側の通気孔を孔開けすることにより、空気のみを瓦盤の下側に噴出させ、屋根基盤上を乾燥させることができる。
【００１４】
本発明のその他の効果を列記すると次の通りである。
１）瓦盤上で融雪作業を行う必要がなくなり、屋根からの落下事故を防止することができる。同時に、除雪後の搬送作業や集雪場所が不要になる。
２）Ｖ字状断面の形態を備えた瓦盤としたので、蒸気噴出口からの蒸気噴出力が強化され、融雪効果がより大きくなる。また冷水噴射や通風もでき、瓦盤空間部の乾燥も可能となる。
３）瓦盤どうしの重層部が完全に重なり、風雨等に強い瓦盤とすることができる。同時に、同サイズのガラス瓦も使用可能となり、屋根裏での星座観測が可能となる。
４）載荷盤を用いることにより、太陽光発電用ソーラ等の設備を容易に瓦版上に搭載することが可能となる。
５）瓦盤を２枚〜３枚連結した形態のロング型の瓦盤を使用すれば、コンクリート擁壁の固定式型枠等にも利用したり、小川の簡易渡橋や食品貯蔵壁、および池等の壁体に応用することができ、用途は無限に存在する。
【図面の簡単な説明】
【００１５】
【図１】（ａ）は前後左右の側面どうしがそれぞれ平行側面どうしで、かつ表面形態が所望なアール状面を有するアール状平行四辺形型ベース版の斜視図である。（ｂ）は前後左右の端面どうしが平行側面で、かつ平面形態のほぼ中央左側で表裏端面に通じるＶ状線を記している平面状平行四辺形型ベース版の斜視図である。（ｃ）は前記平面状平行四辺形型ベース版と面積形状が同一なベース版上に、該平行平面版と面積が同一なベース版で、該Ｖ状線を中心にしての左右面のそれぞれ端部側面側に逆折線と平行偏移線が記されている状態の平行版の斜視図である。
【図２】（ａ）は前記平面状平行四辺形型ベース版上に、該平行平面版と面積形状が同一な他のベース版を上下左右にそれぞれで該Ｖ状線を中心にしての左右面のそれぞれ端部側面に逆折線と平行偏移線が記されている状態の平行版の上面図である。（ｂ）は前記平面状平行四辺形型ベース版上に、前記平行平面版と面積形状が同一な他のベース版を、上下左右にそれぞれ所望寸法で平行移動させた状態で、かつ平行な逆折面を有する平行偏移一体型係合盤の上面透視図である。
【図３】（ａ）は前記平面状平行四辺形型ベース版上に、面積が同一な矢羽根状版を上下左右に所望寸法で平行移動させた状態で一体化した場合の予想上面図である。（ｂ）は前記平面状平行四辺形型ベース版上に、逆折面付きで、かつ面積が同一な矢羽根状版を上下左右に所望寸法で平行移動させた状態で一体化した状態の上面透視図である。
【図４】（ａ）は前記平面状平行四辺形型ベース版をＶ状線中心に所望角度にてＶ状版に形成し、かつＶ状版の端面側に所望の幅を有する逆折線を記している逆折線付き平行型ベース版の斜視図である。（ｂ）は前記平面状平行四辺形型ベース版をＶ状線中心に所望角度にてＶ状版に形成し、かつＶ状版の端面側に所望の幅を有する逆折面を形成している逆折面付き平行型ベース版の斜視図である。
【図５】（ａ）は前記Ｖ状線付き平行平面版の中央部をＶ状溝型に形成し、片方のベース面の平行端部に逆折線を形成しているＶ状矢羽根型ベース版の斜視図である。（ｂ）は版状の上下中央部を所望な角度を有するＶ状型に形成しているＶ状溝付き平面版の平行端面を所望角度をもった逆折面上に成形し、かつ上下係合面どうしを平行Ｖ状に形成している逆折線付きＶ状矢羽根型ベース版の斜視図である。
【図６】（ａ）は前記Ｖ状平行偏移型係合盤の上部に、逆折面付き平行ベース版どうしを平行偏移状で一体型接合している状態の係合盤の斜視図である。（ｂ）は前記Ｖ状平行ベース版上に、逆折面付き上下平行で矢羽根状のＶ状ベース版を接合形成している逆折面付きＶ状矢羽根型接合版の斜視図である。
【図７】（ａ）は中央部にＶ状溝が形成され、片側面に逆折状のひさし面が形成されている逆折面付きＶ状載積版の正面図である。（ｂ）は前記Ｖ状溝が左右どちらかに平行偏移形成しているＶ状平行ベース版の正面図である。（ｃ）はＶ状溝付き平行ベース版と逆折面付きＶ状載積版を重層状に接合している逆折面付きＶ状矢羽根板平行偏移重層型係合盤の正面図である。
【図８】（ａ）は裏面に横型瓦盤支持桁と縦型瓦盤支持桁が形成されている逆折面付きＶ状矢羽根板平行偏移重層型係合盤の背面側の正面図である。（ｂ）は裏面に横型瓦盤支持桁と縦型瓦盤支持桁が形成されている逆折面付きアール状板平行偏移重層型係合盤の正面図である。
【図９】（ａ）は裏面に横型瓦盤支持桁と縦型瓦盤支持桁が形成されている逆折面付きＶ状板平行偏移重層型係合盤の左側面図である。（ｂ）は裏面に横型瓦盤支持桁と縦型瓦盤支持桁、および上面にテーパ―状固定型載荷盤が形成されている逆折面付きＶ状板平行偏移重層型係合盤の右側面図である。
【図１０】（ａ）は矢羽根状載積版の中央上部にノズル管収納溝、および非重層帯が形成されている重層瓦の上面図である。（ｂ）は前記重層瓦の正面図である。
【図１１】瓦桟が配設された屋根基盤上に、上記射出用のノズル管収納溝が形成された重層形態型係合盤を専用釘で固定させた状態の該瓦盤の背面側重層面周囲の拡大図である。
【図１２】（ａ）は前記平行偏移重層型瓦盤の左右接合面形状を段差状に形成している部分の拡大図である。（ｂ）は該瓦係合盤の中央で背面側に傾斜ノズル管収納溝を形成させている背面側段差状係合面の斜視拡大図である。
【図１３】（ａ）はＶ状板平行偏移重層型係合盤の左側面部の非重層帯に連結用固定孔を２箇所設けた拡大図である。（ｂ）は平行偏移重層型係合盤の連結板用凹み溝に連結用遮水板を固定した状態の拡大図である。
【図１４】（ａ）は該平行偏移重層型係合盤どうしの前後接合部において、蒸射用長短調整型パイプを収納するための緩傾斜の傾斜状ノズル管収納溝を背面側中央に形成し、該収納溝内に噴射口カバー付きの長短調整用蒸給パイプを傾斜状に配設している状態の横断面拡大図である。（ｂ）は該平行偏移重層型係合盤どうしの前後接合部において、該瓦盤の下部に横状係合盤固定桁を設営し、該瓦盤の下部に横状係合盤固定桁を形成させ、かつ蒸射用長短調整型パイプと蒸給パイプを設営させている状態の接合面の横断面拡大図である。
【図１５】（ａ）は該平行偏移重層型係合盤どうしの前後接合面が、傾斜接合面形態に形成されている状態の拡大図である。（ｂ）は該平行偏移重層型係合盤どうしの前後接合面の傾斜ノズル管収納溝内に、長短調整型パイプを設営させ、上部に噴射口カバーが敷設されている状態の横断面拡大図である。
【図１６】該平行偏移重層型係合盤の背面側重層面の傾斜溝内に長短調整型パイプを設営させ、その先端部に蒸給パイプを結合させている状態の上面拡大図である。
【図１７】（ａ）は２種類の大小口径を有するスライド型蒸給パイプから構成し、対状に設けた２種類の蒸気噴射口が交互に自動的に蒸気を噴射することが可能であって、該スライド型蒸給パイプの内側パイプを自動操作により奥に押し込み、片方の通気口から出る蒸気を遮断させることにより、手前側の通気口から蒸気を射出させている状態の該蒸給パイプの上面透視拡大図である。（ｂ）は同じく２種類の蒸気噴射を自動的に可能とするスライド型蒸給パイプであって、該内側パイプを手前に引くことにより、蒸気供給側の通気口は閉鎖され、反対側の蒸気噴出口が自動的に重なり空気のみの射出が可能となっている状態の該蒸給パイプの上面透視拡大図である。（ｃ）は該スライド型蒸給パイプの壁面に形成させた通気口が、対状で閉口されており、かつ、該内側パイプと外側パイプに開口した通気口どうしが交互に重なる状態をあらわしていて、左右どちらかの外側通気口に長短調整用パイプ用のネジ山付き固定ナットを接合固定し、その先に、長短調整型パイプを連結していることを示している角型のスライド型蒸給パイプの通気口部分の断面図である。
【図１８】（ａ）は該瓦盤の表側で対状の２辺端部に所望幅と深さを有する遮水板用凹み溝を形成している該平行偏移係合盤の表側正面図である。（ｂ）は該瓦盤の表側で対状の２辺端部に所望幅と深さを有する遮水板用凹み溝を形成している該平行偏移係合盤の表側隅部の斜視図である。
【図１９】（ａ）は該瓦盤どうしを連接する場合の遮水板用凹み溝を形成し、これに連結用遮水板を段差状係合面に専用釘で固定している状態の該瓦盤の連結部の連結固定の左側側面の拡大図である。（ｂ）は連結板用凹み溝に専用釘で固定している連結用遮水板の横面拡大図である。
【図２０】（ａ）該瓦盤どうしを連接する場合の連結部どうしにおける、連接面の両面の側面に横型固定孔を形成させ、この横型固定穴に連結用遮水板を挿入し、固定する前の横面拡大図である。（ｂ）は該瓦盤どうしを連接する場合の連結部どうしを横型固定孔と連結用遮水板により連結固定した状態の横面拡大図である。
【図２１】前記逆折面付き矢羽根状の平行偏移重層型瓦盤において、該瓦盤どうしを連接する場合の連結部端面を連結板用凹み溝を形成させ、これに連結用遮水板を固定形成させた状態の該係合盤の上面図である。
【図２２】前記逆折面付き矢羽根状のＶ状平行偏移重層型瓦盤において、中央の背面側の傾斜状ノズル管収納溝と、左側面における、非重層面の概瓦盤どうしを連接する場合の連結用固定孔を形成している該瓦盤の斜視図である。
【図２３】（ａ）は該Ｖ状平行偏移重層型瓦盤の折伏稜線上部の載積用突起部上にスライド式テーパー型載荷盤を設けている状態の該瓦盤逆折面の表側正面の拡大図である。（ｂ）は該Ｖ状平行偏移重層型瓦盤の折状稜線上部の載積用突起部上にスライド式テーパー型載荷盤を設けている状態の該瓦盤逆折面の表側正面の拡大図である。
【図２４】（ａ）は該Ｖ状平行偏移重層型瓦盤の折状稜線の上部に、テーパー状固定型載荷盤を形成している載積用突起部の表側正面の拡大図である。（ｂ）は該Ｖ状平行偏移重層型瓦盤の折状稜線の上部に、テーパー状固定型載荷盤を形成している載積用突起部の表側正面の拡大斜視図である。
【図２５】該瓦盤の表側で逆折面を形成している折状綾線上にテーパー状固定型載荷盤と裏面側に縦状係合盤支持桁を形成している該平行偏移係合盤の上面透視図である。
【図２６】複数の該矢羽根状瓦盤を整列状に連結している連結状係合盤の連接状態の上面図である。
【図２７】裏面側に蒸給用パイプと長短調整用パイプを具備している複数の該矢羽根型平行偏移係合盤の連結状上面透視図である。
【図２８】ベース版と載荷版が同一な矢羽根状形態瓦盤の場合の矢羽根型平行偏移係合盤の２枚連接型の上面図である。
【図２９】平行型ベース版が一体化されている該瓦盤が３枚連接状に一体化構成されている状態のロング型上面図である。
【図３０】Ｖ状の該係合盤が複数枚連接状に一体化構成されている状態のロング型上面斜視図である。
【図３１】Ｖ状の該係合盤が複数枚連接状で一体に焼成構成されている状態のロング型上面斜視図である。
【図３２】（ａ）はＶ状の該係合盤が複数枚連接状で一体に焼成構成されている状態のロング型上面図である。（ｂ）は該ロング型係合盤が２列横状に連接され一体に構成されている状態のロング型瓦盤の横連接状況の上面図である。
【図３３】該ロング型係合盤を複数枚、コンクリート基礎上に所望の間隔付きで平行並列状に直立させたロング型の瓦盤が複数枚、連接状に一体的に構成され、空間内に生コンを投入している状態のロング型瓦盤の設営横面図である。
【図３４】該ロング型係合盤を複数枚、コンクリート基礎上に所望の間隔付きで平行並列状に直立させた状態の置き型枠状のロング型瓦盤の空間付き並列上面図である。
【図３５】該ロング型係合盤を複数枚、コンクリート基礎上に所望間隔付きで平行並列状に直立させた状態の置き型枠状のロング型瓦盤の空間付き並列上面斜視図である。
【図３６】（ａ）〜（ｂ）、（ｃ）〜（ｄ）は重層型係合盤の反転式の製造工程を説明する概略図である。
【図３７】（ａ）は逆折面付きＶ状合体型係合盤の背面図、（ｂ）は専有係合盤の千鳥状係合状態の上面図である。
【図３８】Ｖ状矢羽根重層型係合盤の表面上に、植生芝の植生用として、前後係合面にほぼ平行で、かつ交差状でＶ状の複数本の傾斜型波状溝を形成している状態のＶ状矢羽根重層型係合盤瓦の上面図である。
【図３９】Ｖ状矢羽根重層型係合盤の表面上に、植生芝の植生用として、表裏係合辺にほぼ平行で、かつ交差状でＶ状の複数本の傾斜型波状溝を形成している状態でのＶ状矢羽根重層型係合盤瓦の前面透視正面図である。
【図４０】（ａ）はＶ状矢羽根重層型係合盤の表面上に、植生芝の植生用として、表裏係合片にほぼ平行で、かつ交差状でＶ状の複数本の傾斜型波状溝を形成している状態のＶ状矢羽根重層型係合盤瓦の拡大側面図である。（ｂ）はその片面側拡大斜視図である。
【図４１】Ｖ状矢羽根重層型係合盤の表面上に、植生芝の植生用として、表裏係合辺にほぼ平行で、かつ交差状でＶ状の複数本の傾斜型波状溝を形成している状態でのＶ状矢羽根重層型係合盤瓦の全体右側斜視図である。
【発明を実施するための形態】
【００１６】
以下この発明の同一版平行偏移重層一体型係合盤およびダブル型蒸給パイプを用いた蒸給システムを図面に基いて詳細に説明する。なお、以下瓦盤として利用する形態について説明するため、係合盤を瓦盤ないし重層瓦と称する。
図２（ａ），（ｂ）に示すように、この実施例のＶ状線と逆折面付き平行偏移重層型瓦盤は、中央部にＶ状線３５を形成されたＶ状線付き平面状平行四辺形型ベース版１３上に、該ベース版１３と同一面積で同一形状を有し、かつ平行偏移線４０と逆折線４２およびＶ状線３５を記しているＶ状線と平行偏移線および逆折線付きベース版を平行偏移状に載積し、かつ、Ｖ状線３５を中心にＶ状溝３６として折り曲げることにより、Ｖ状線と逆折線付き平行偏移重層型係合盤１６とすることが可能となる。
【００１７】
この重層型係合盤において前記平面状平行四辺形型ベース版１３は、図１（ａ）のように円弧状断面のアール状平行四辺形型ベース版１０とすることができる。
通常は図１（ｂ）のようにほぼ中央のＶ状線３５で所定角度を有するＶ字状に折曲げ可能なＶ字状断面のＶ状溝３６（図４（ａ）参照）とすることが望ましい。そして図１（ｃ）のように、後述する載積部分との重なり部分を示す平行偏移線４０および逆折線４２が記されたＶ状線と平行偏移線付きベース版１５としておけばよい。
【００１８】
次に、図４（ａ）は中央部にＶ状溝３６を形成された逆折線付きＶ状平行ベース版１９を示すものであり、平面状平行四辺形型ベース版１３上において縦及び横方向に所定寸法幅に平行移動させ、幅方向にひさし状にせり出した部分をＶ状線３５とは逆方向の逆折面４３としたほぼ同一形状の非重層帯４１とを備えたものである。
図２（ｂ）は中央部にＶ状線３５を形成された長方形のベース版１３と、その上に搭載された載積部分１６が、矢羽根状の凹凸を長さ方向の両端部にそれぞれ形成してある瓦盤を示すものである。
【００１９】
図３（ａ）、図４（ａ）は、Ｖ字状断面のＶ状線３５を備えた、前記単体のベース版１３とほぼ同一面積を有する逆折線付きＶ状平行ベース版１９を示すものであり、逆折面４３部分はまだ延長されていない状態にある。
図４（ｂ）は前記逆折面４３部分をＶ状溝３６とは逆方向に折り返した逆折面付きＶ状平行型積載版２０を示している。
なお、図７（ｃ）は前記平面状並行四辺形型ベース版１３上に、前記逆折面４３を形成した逆折面付きＶ状平行型積載版２０を重積した状態を示している。
【００２０】
図５（ａ）は、Ｖ字状断面のＶ状溝３６を備えた、矢羽根版先端部６８，６８を備えた逆折線付きＶ状矢羽根版２１を示すものであり、逆折面４３部分は延長した状態にある。
図５（ｂ）は前記逆折面４３部分をＶ状溝３５とは逆方向に折り返した逆折面付きＶ状矢羽根型載積版２２を示している。なお、上面形状はＶ状・矢羽根形状を示している。
【００２１】
図６（ａ）は、Ｖ字状断面のＶ状溝３６を備えたＶ状溝付き平行ベース版３２上にＶ字状断面のＶ状溝３６を備えた逆折面４３付きＶ状平行載積版２０を結合させた状態を示している。
また図６（ｂ）は、Ｖ字状断面のＶ状溝３６を備えたＶ状溝付き平行ベース版３２上にＶ字状断面のＶ状溝３６を備えた逆折面４３付きＶ状矢羽根型載積版２２を結合させた状態を示している。
図７（ａ）は前記逆折面４３を備えた積載版２２であって、図７（ｂ）のベース版１３を、図７（ａ）の前記載積版２２と結合させた状態を図７（ｃ）に示す。
【００２２】
図８（ａ）において５６は基本Ｖ状ベース版３７の裏側に設けた横型の瓦盤固定桁であり、また基本Ｖ状ベース版３７の裏側には、所望幅と高さおよび長さを有する縦型の瓦盤支持桁５７を設けてある。
図８（ｂ）は、円弧状断面のアール状ベース版１０上に、逆折面３４付きアール状平行載積版１１を結合させた逆折面付きアール状平行重層型係合盤１２を示している。
【００２３】
図９（ａ）は裏面に横型瓦盤支持桁５６と縦型瓦盤支持桁５７が形成されている逆折面付きＶ状板平行偏移重層型係合盤、いわゆる重層瓦２９の左側面図、（ｂ）は裏面に横型瓦盤支持桁５６と縦型瓦盤支持桁５７、および上面にテーパ―状固定型載荷盤６６が形成されている逆折面付きＶ状板平行偏移重層型係合盤、いわゆる重層瓦２９の右側面図である。
【００２４】
図１０（ａ）は逆折面４３付きＶ状矢羽根版平行偏移重層型係合盤２４の中央上部にノズル管収納溝５１と同５２、および非重層帯４１が形成されている重層瓦２９の上面図である。
図１０（ｂ）は前記重層瓦２９の正面図である。
【００２５】
図１１は瓦桟４６が配設された屋根基盤４９上に、上記射出用のノズル管収納溝５１，５２が形成された重層瓦２９を専用釘４８で固定させた状態の該重層瓦２９の背面側重層面周囲の拡大図である。
【００２６】
また図１２，図１６は、縦方向のノズル管収納溝５２を示すものである。
図１２（ａ）において、例えばほぼ中央部にＶ状溝３６を形成された単体のベース版１３と、その上に載積された載積版２２が、矢羽根状の凹凸６８ａを長さ方向の両端部にそれぞれ形成してある重層瓦２９において、前記くぼんだ凹凸６８ａ側のＶ状溝３６上のほぼ中央に縦方向のノズル管収納溝５２が形成されている。
図において、４５は前記ベース版２６の上部において段差状係合面７９が重なり合っていない非重層部位８０に横方向に所定間隔で設けた瓦盤用固定孔であり、これらの瓦盤用固定孔４５，４５に後述の専用釘を屋根基盤上に配設した前記瓦桟４６上に打ち込んで重層瓦２９を固定するようになっている。
また５８は連結用固定孔である。さらに、ノズル管収納溝５２の上部には噴射口カバー６０を取り付けている。
【００２７】
図１３（ａ）は重層瓦２９の左側面部の非重層部位８０に連結用固定孔５８を２箇所設けた状態を示すものであり、図１３（ｂ）は重層瓦２９の連結板用凹み溝６４に連結用遮水板５９を連結用固定孔５８を介して固定した状態を示すものである。
【００２８】
図１４（ａ）は重層瓦２９どうしの前後接合部において、蒸射用長短調整型パイプ５５を収納するための緩傾斜の傾斜状ノズル管収納溝５２を背面側中央に形成し、該収納溝５２内に蒸気噴射口５４の噴射口カバー６０付きの長短調整用蒸給パイプ５５を傾斜状に配設している状態を示すものである。
また図１４（ｂ）は該重層瓦２９どうしの前後接合部において、蒸射用長短調整型パイプ５５と蒸給パイプ８６を設営させている状態の接合面を示すものである。
すなわち、図１４（ｂ）は前記重層瓦２９と屋根基盤４９との隙間の空間部４７（図１２参照）にスライド型蒸給パイプ８６を配備するとともに、前記重層瓦２９に設けた傾斜型ノズル管収納溝内５２に敷設した蒸気噴射口５４を備えた長短調整型パイプ５５をスライド型蒸給パイプ８６に連結した状態を示すものである。
前記長短調整型パイプ５５は、長さ調整可能な蛇腹管からなるものであることが望ましい。
なお、図１４（ｂ）において５６は重層瓦２９の裏側に設けた横型の瓦盤固定桁であって、前記傾斜型ノズル管収納溝５２に対応する重層瓦２９の裏側に設けてあり、また５７は重層瓦２９裏側の幅方向の両側に設けた縦型の瓦盤支持桁である。
【００２９】
図２６は複数の前記重層瓦２９を上下左右に連結して敷設する状態を示すものであり、さらに図１１のように前記重層瓦２９と屋根基盤４９との隙間の空間部４７（図１２参照）にスライド型蒸給パイプ８６を配備するとともに、前記重層瓦２９に設けたノズル管収納溝５２内に敷設した長短調整型パイプ５５をスライド型蒸給パイプ８６に連結する。その際、図１１に示すように瓦盤用固定孔４５に専用釘４８を屋根基盤４９上に配設した瓦桟４６上に打ち込んで重層瓦２９を固定する
その上で、図１４（ｂ）に示すように前記重層瓦２９と屋根基盤４９との隙間の空間部４７にスライド型蒸給パイプ８６を配備するとともに、前記重層瓦２９に設けたノズル管収納溝５２内に敷設した長短調整型パイプ５５を前記スライド型蒸給パイプ８６に連結する。このようにして、冬場の積雪時にこのスライド型蒸給パイプ８６に蒸気を強制的に供給し、前記長短調整型パイプ５５の蒸気噴射口５４から蒸気を一斉に噴射して重層瓦２９全体を一度に融雪できるようにしたものである。
【００３０】
図１５（ａ）は該重層瓦２９どうしの前後接合面が、傾斜接合面形態に形成されている状態を示し、図１５（ｂ）は該重層瓦２９どうしの前後接合面の傾斜ノズル管収納溝５２内に、長短調整型パイプ５５を設営させ、上部に防塵カバー６０が敷設されている状態を示すものである。
また図１６は、該重層瓦２９の背面側重層面の傾斜溝５１，５２内に長短調整型パイプ５５を設営させ、その先端部に蒸給パイプ８６を結合させている状態を示すものである。
図１７（ａ）は、蒸給パイプを２種類の大小口径を有するスライド型蒸給パイプ８６が内側パイプ９１、外側パイプ９２から構成し、対状に設けた２種類の蒸気噴射口９３，９４が交互に自動的に蒸気を噴射することが可能であって、該スライド型蒸給パイプの内側パイプ９１を自動操作により奥に押し込み、片方の通気口９３から出る蒸気を遮断させることにより、手前側の通気口９４から蒸気を射出させている。図１７（ｂ）は同じく２種類の蒸気噴射口９３，９４を自動的に開口可能とするスライド型蒸給パイプであって、該内側パイプ９１を手前に引くことにより、蒸気供給側の通気口９４は閉鎖され、反対側の蒸気噴出口９３が自動的に重なり空気のみの射出が可能となっている状態を示している。
また１７（ｃ）は、該スライド型蒸給パイプの壁面に形成させた通気口９３，９４が、対状で閉口されており、かつ、該内側パイプ９１と外側パイプ９２に開口した通気口９３，９４どうしが交互に重なる状態をあらわしていて、左右どちらかの外側通気口９３，９４に長短調整用パイプ用のネジ山付き固定ナット９６を接合固定し、その先に、長短調整型パイプ５５を連結していることを示している角型のスライド型蒸給パイプの通気口部分を示すものである。
【００３１】
図１８（ａ），（ｂ）は該重層瓦２９の表側で対状の２辺端部に所望幅と深さを有する遮水板用凹み溝８８を形成し、該遮水板用凹み溝８８に遮水版固定孔８７を連結している該重層瓦２９を示すものである。
図１９（ａ）は該重層瓦２９どうしを連接する場合の遮水板用凹み溝７７を形成し、これに表面遮水板７３を段差状係合面に専用釘４８で固定している状態の該重層瓦２９の連結部の連結固定状態を示し、図１９（ｂ）は遮水板用凹み溝に専用釘４８で固定している連結用遮水板５９のみを示すものである。
また、図２０（ａ）は該重層瓦２９どうしを連接する場合の連結部どうしにおける、連接面の両面の側面に横型連結孔９８を形成させ、この横型連結孔９８に横挿入型遮水板９０を挿入固定し、図２０（ｂ）は該重層瓦２９どうしを連接する場合の連結部どうしを横型連結孔９８と遮水用柔軟板９０により連結固定した状態を示すものである。
【００３２】
図２１は前記逆折面付き矢羽根状の平行偏移重層瓦２９において、該重層瓦２９どうしを連接する場合の連結部端面に連結板用凹み溝８８および横型連結孔９８を形成した状態を示すものである。
図２２は前記逆折面付き矢羽根状のＶ状平行偏移重層瓦２９において、中央の背面側の傾斜状ノズル管収納溝５１，５２と、左側面における、非重層面の該瓦盤どうしを連接する場合の連結用固定孔５８を介して連結用遮水板５９を形成している状態を示すものである。
【００３３】
次に、図２３（ａ）は瓦盤の載積部分の逆方向の逆折面４３の上に結合用突起部６１を形成したものであり、図２３（ｂ）は該結合用突起部６１上に両側を内向きに折返したテーパ状下駄付き載荷盤６５をスライド式に取り付けた状態を示したものである。
また図２４（ａ）は上面が長さ方向の下向きに傾斜させたテーパ状固定型載荷盤６５が形成されている逆折面４３部分を示し、図２４（ｂ）はテーパ状固定型載荷盤６６の概略を示すものである。
図２５は該重層瓦２９の表側で逆折面を形成している折状綾線上にテーパー状固定型載荷盤６６と裏面側に縦状係合盤支持桁５７を形成している該重層瓦２９の上面から透視したものである。
【００３４】
図２６および図２７は平面状並行四辺形型ベース版１３と矢羽根状の凹凸６８，６８を備えた載積部分２２を有する複数枚の重層瓦２９を長さ方向に連接した状態を示す実施例である。
図２８はベース版１３と載荷版２２からなる矢羽根状形態瓦盤の場合の矢羽根型平行偏移係合盤からなる重層瓦２９の２枚連接型を示すものである。
また図２９は、平行型ベース版が一体化されている該重層瓦２９が３枚連接状に一体化構成されている状態のロング型を示すものであり、図３０はＶ状の該重層瓦２９が３枚連接状に一体化構成されている状態のロング型を示すものである。
【００３５】
図３１および図３２はこの発明のこの発明の平行偏移重層型係合盤の応用例を示すものである。
図３１は縦方向に連接したロング型瓦盤６７を示し、図３２（ｂ）はロング型瓦盤６７（図３２（ａ））をさらに幅方向に連接した状態を示すものである。
なお、このようなロング型瓦盤６７を使用する場合においても、前記スライド型蒸給パイプ８６とノズル管収納溝７３内に敷設した長短調整型パイプ５５とを用いて各瓦盤６７と屋根基盤との隙間から蒸気を噴出できるようにすることは勿論である。
【００３６】
また、図３３および図３４は複数の重層瓦２９，６７をそれぞれ垂直方向に所定間隔で併設し、コンクリート充填部７１からなる型枠内にコンクリートを打設した状態を示している。
図において７２は型枠に沿って配設した横連結部、６９は両側の型枠間を連結する盤支線等からなる連結材、７０は型枠底部のコンクリートベースである。
【００３７】
図３５は該ロング型係合盤を製造するため、複数枚をコンクリートベース７０上に所望の間隔付きで平行並列状に直立させた状態としたもので、置き型枠とするためにロング型瓦盤６７を所定の間隔で並列させたものである。前記間隔内にコンクリートを投入して打設すれば、所望のロング型係合盤を製作することができる。
【００３８】
図３６（ａ）〜（ｂ）、（ｃ）〜（ｄ）は重層型係合盤の反転式の製造工程を説明するものである。それぞれ図３６（ａ）〜（ｂ）は円弧状重層型係合盤、（ｃ）〜（ｄ）はＶ状型重層係合盤の制作工程を示している。
【００３９】
図３７（ａ）、（ｂ）はそれぞれ、逆折面付きＶ状合体型係合盤の千鳥状係合状態を示すものである。
【００４０】
図３８及び図３９は、この発明の瓦盤を植生用瓦盤に応用した場合を示すものであり、Ｖ状矢羽根重層型係合盤８１の表面上に、植生芝の植生用として、前後係合面にほぼ平行で、かつ交差状でＶ状の複数本の傾斜型波状溝８２を形成している状態のＶ状矢羽根重層型係合盤瓦を示すものである。
【００４１】
図４０（ａ）、（ｂ）はＶ状矢羽根重層型係合盤８１の表面上に、植生芝の植生用として、表裏係合片にほぼ平行で、かつ交差状でＶ状の複数本の傾斜型波状溝８２を形成している状態のＶ状矢羽根重層型係合盤瓦を示すものであり、段差部分に所定の厚さのマット状芝生８３等を敷設することができる。
【００４２】
さらに図４１はＶ状矢羽根重層型係合盤８１の表面上に、植生芝の植生用として、表裏係合辺にほぼ平行で、かつ交差状でＶ状の複数本の傾斜型波状溝８２を形成している状態でのＶ状矢羽根重層型係合盤瓦を示すものであり、瓦盤８１上の左右の傾斜型波状溝８２の中央部には集水溝８４が形成されている。
【産業上の利用可能性】
【００４３】
上記各実施例においてはこの発明の平行偏移重層型係合盤もしくは平行偏移重層型係合盤を用いた蒸給パイプを用いた蒸給システムを屋根瓦に応用した場合について説明したが、擁壁やブロック塀、駐車場の屋根、その他種々の用途に応用できることは言うまでもない。
【符号の説明】
【００４４】
１０  アール状平行四辺形型ベース版
１１  逆折面付きアール状平行型載積版
１２  逆折面付きアール状平行型重層型係合盤
１３  平面状平行四辺形型ベース版
１５  平行偏移線付きベース版
１６  平行偏移重層型係合盤
１７  矢羽根線平行ベース版
１８  非重層面と逆折線付き矢羽根板重層型係合盤
１９  Ｖ状平行ベース版
２０  逆折面付きＶ状平行型載積版
２１  逆折線付きＶ状矢羽根版
２２  逆折線付きＶ状矢羽根版型載積版
２３  逆折面付きＶ状ベース版平行偏移重層型係合盤
２４  逆折面付きＶ状矢羽根版平行偏移重層型係合盤
２５  Ｖ状溝と逆折面付きＶ状平行載積版
２６  非重層帯付きベース版
２７  平行偏移重層板載積線
２８  単位係合盤
２９  逆折面付きＶ状矢羽根版
３０  矩形のベース版
３１  矢羽根線
３２  Ｖ状溝付き平行ベース版
３３  Ｖ状矢羽根版
３４  アール状逆折面
３５  Ｖ状線
３６  Ｖ状溝
３７  Ｖ状ベース版
３８  Ｖ状溝矢羽根型ベース版
４０  平行偏移線
４１  非重層帯
４２  逆折線
４３  逆折面
４４  左右側面
４５  瓦盤用固定孔
４６  瓦桟
４７  空間部
４８  専用釘
４９  屋根基盤
５１  ノズル管収納溝Ａ
５２  ノズル管収納溝Ｂ
５３  逆折線
５４  蒸気噴射口
５５  長短調整型パイプ（蛇腹型）
５６  横状係合盤固定桁
５７  縦状係合盤支持桁
５８  連結用固定孔
５９  連結用遮水版
６０  噴射口カバー
６１  載積用突起部
６３  矢羽根状偏移線
６４  連結板用凹み溝
６５  スライド式テーパ型載荷盤
６６  テーパ状固定型載荷盤
６７  逆折面付きＶ状ロング型瓦盤
６８  矢羽根版先端部
６８ａ  矢羽根状の凹凸
６９  空間連結材
７０  コンクリートベース
７１  充填生コンクリート
７２  横連接結合材
７３  表面遮水板
７４  前側接合面
７５  後側接合面
７６  想定接合線
７７  遮水板用凹み溝
７８  連携版重層
７９  段差状係合面
８０  非重層部位
８１  後側段差状接合面
８２  傾斜型波状溝
８３  植生芝
８４  集水溝
８５  傾斜植生溝
８６  スライド型蒸給パイプ
８７  電磁式開閉具
８８  空調用通気口
８９  パイプ内壁面
９０  横挿入型遮水板
９１  内側パイプ
９２  外側パイプ
９３  内側通気口
９４  外側通気口
９５  蒸給口
９６  内部ネジ付き固定用ナット
９７  非重層面と逆折面付き平行型載積版
９８  横型連結溝
【図１】
2016196765.tif 000003
【図２】
2016196765.tif 000004
【図３】
2016196765.tif 000005
【図４】
2016196765.tif 000006
【図５】
2016196765.tif 000007
【図６】
2016196765.tif 000008
【図７】
2016196765.tif 000009
【図８】
2016196765.tif 000010
【図９】
2016196765.tif 000011
【図１０】
2016196765.tif 000012
【図１１】
2016196765.tif 000013
【図１２】
2016196765.tif 000014
【図１３】
2016196765.tif 000015
【図１４】
2016196765.tif 000016
【図１５】
2016196765.tif 000017
【図１６】
2016196765.tif 000018
【図１７】
2016196765.tif 000019
【図１８】
2016196765.tif 000020
【図１９】
2016196765.tif 000021
【図２０】
2016196765.tif 000022
【図２１】
2016196765.tif 000023
【図２２】
2016196765.tif 000024
【図２３】
2016196765.tif 000025
【図２４】
2016196765.tif 000026
【図２５】
2016196765.tif 000027
【図２６】
2016196765.tif 000028
【図２７】
2016196765.tif 000029
【図２８】
2016196765.tif 000030
【図２９】
2016196765.tif 000031
【図３０】
2016196765.tif 000032
【図３１】
2016196765.tif 000033
【図３２】
2016196765.tif 000034
【図３３】
2016196765.tif 000035
【図３４】
2016196765.tif 000036
【図３５】
2016196765.tif 000037
【図３６】
2016196765.tif 000038
【図３７】
2016196765.tif 000039
【図３８】
2016196765.tif 000040
【図３９】
2016196765.tif 000041
【図４０】
2016196765.tif 000042
【図４１】
2016196765.tif 000043